(57)【要約】      （修正有）【課題】光の出射方向を選択することができる反射型発光装置、および照明装置を提供する。【解決手段】反射型発光装置１は、反射面１１ａを有する凹部１１が上面１０ａに開口したケース１０と、ケースの第１の側面１０ｃに設けられ、各辺の端部が第１の側面の各辺近傍に設けられた第１の電極５２と、凹部の開口を横切るように延び、端部が第１の電極に接続された第１の張り出し部５１と、第１の電極と対峙しケースの第２の側面１０ｅに設けられ、各辺の端部が第２の側面の各辺近傍に設けられた第２の電極６２と、凹部の開口を横切るように延び、先端が凹部の開口の中心近傍に設けられ、他方の端部が第２の電極に接続された第２の張り出し部６１と、反射面の焦点位置に設けられ、第１の張り出し部の反射面側の面に接続された発光素子２０を具備している。【選択図】図１
2019046921.tif 000002
【特許請求の範囲】
【請求項１】
上面と、前記上面に対峙する底面と、前記上面と前記底面とに接続された第１の側面と、前記第１の側面に対峙する第２の側面と、前記第１の側面と前記第２の側面とに接続された第３の側面と、前記第３の側面に対峙する第４の側面と、前記上面に開口する凹部と、を有するケースと；
前記凹部の内壁面の少なくとも一部に設けられた反射面と；
前記第１の側面に設けられた第１の電極と；
前記凹部の開口を横切るように延び、端部が前記第１の電極に接続された第１の張り出し部と；
前記第２の側面に設けられた第２の電極と；
前記凹部の開口を横切るように延び、先端が前記凹部の開口の中心近傍に設けられ、他方の端部が前記第２の電極に接続された第２の張り出し部と；
前記反射面の焦点位置に設けられ、前記第１の張り出し部の前記反射面側の面に接続された発光素子と；
を具備し、
前記第１の電極の前記底面側の端部は、前記第１の側面の前記底面側の辺の位置、あるいは当該辺の近傍に設けられ、
前記第１の電極の前記第３の側面側の端部は、前記第１の側面の前記第３の側面側の辺の位置、あるいは当該辺の近傍に設けられ、
前記第２の電極の前記底面側の端部は、前記第２の側面の前記底面側の辺の位置、あるいは当該辺の近傍に設けられ、
前記第２の電極の前記第３の側面側の端部は、前記第２の側面の前記第３の側面側の辺の位置、あるいは当該辺の近傍に設けられている反射型発光装置。
【請求項２】
前記第１の電極の前記第４の側面側の端部は、前記第１の側面の前記第４の側面側の辺の位置、あるいは当該辺の近傍に設けられ、
前記第２の電極の前記第４の側面側の端部は、前記第２の側面の前記第４の側面側の辺の位置、あるいは当該辺の近傍に設けられている請求項１記載の反射型発光装置。
【請求項３】
前記第１の電極および前記第２の電極の一部は、前記底面に設けられている請求項１または２に記載の反射型発光装置。
【請求項４】
前記第１の電極の前記第３の側面側または前記第４の側面側には、第１の切り欠き部またはマークが設けられている請求項１〜３のいずれか１つに記載の反射型発光装置。
【請求項５】
前記第２の電極の前記第３の側面側または前記第４の側面側には、第２の切り欠き部またはマークが設けられている請求項１〜４のいずれか１つに記載の反射型発光装置。
【請求項６】
前記第１の張り出し部は、前記第１の側面と前記第２の側面との間を跨いでいる請求項１〜５のいずれか１つに記載の反射型発光装置。
【請求項７】
前記第２の張り出し部の先端は、前記第１の張り出し部の中心線からズレた位置に設けられている請求項１〜６のいずれか１つに記載の反射型発光装置。
【請求項８】
前記第２の張り出し部の先端は、前記第１の張り出し部の中心線の延長線上に設けられている請求項１〜６のいずれか１つに記載の反射型発光装置。
【請求項９】
請求項１〜７のいずれか１つに記載の反射型発光装置が実装された基板と；
前記基板が収納される筐体と；
を具備した照明装置。
【発明の詳細な説明】
【技術分野】
【０００１】
本発明の実施形態は、反射型発光装置、および照明装置に関する。
【背景技術】
【０００２】
反射型発光ダイオードには、反射面を有する凹部が一方の端面に開口したケースと、凹部の開口に設けられた一対のリードと、一方のリードの反射面側に接続された発光ダイオードと、発光ダイオードの電極と他方のリードとを電気的に接続する配線と、が設けられている。  
反射型発光ダイオードにおいては、発光ダイオードは、反射面の焦点位置に配置されている。そのため、発光ダイオードから出射した光は、反射面で反射されてほぼ平行な光となり、凹部の開口から反射型発光ダイオードの正面側に向けて照射される。この様に、反射型発光ダイオードは、発光ダイオードから出射した光の大部分を反射面により集光させるので、砲弾型発光ダイオードに比べて２．５倍以上の明るさを得ることができる。また、反射型発光ダイオードは、砲弾型発光ダイオードのような強い指向性を有する光を照射することができる。
【０００３】
ここで、反射型発光ダイオードは、凹部の開口を上に向けた姿勢で基板の上に半田付けされる。そのため、発光ダイオードから出射した光は、基板の実装面に垂直な方向あるいは垂直に近い方向に照射される。この場合、反射型発光ダイオードから照射される光は指向性が強いので、基板の実装面に平行な方向には光がほとんど照射されない。  
そこで、反射型発光装置が実装される基板に対する光の出射方向を選択することができる技術の開発が望まれていた。
【先行技術文献】
【特許文献】
【０００４】
【特許文献１】特開２００７−３１１６４０号公報
【発明の概要】
【発明が解決しようとする課題】
【０００５】
本発明が解決しようとする課題は、反射型発光装置が実装される基板に対する光の出射方向を選択することができる反射型発光装置、および照明装置を提供することである。
【課題を解決するための手段】
【０００６】
実施形態に係る反射型発光装置は、上面と、前記上面に対峙する底面と、前記上面と前記底面とに接続された第１の側面と、前記第１の側面に対峙する第２の側面と、前記第１の側面と前記第２の側面とに接続された第３の側面と、前記第３の側面に対峙する第４の側面と、前記上面に開口する凹部と、を有するケースと；前記凹部の内壁面の少なくとも一部に設けられた反射面と；前記第１の側面に設けられた第１の電極と；前記凹部の開口を横切るように延び、端部が前記第１の電極に接続された第１の張り出し部と；前記第２の側面に設けられた第２の電極と；前記凹部の開口を横切るように延び、先端が前記凹部の開口の中心近傍に設けられ、他方の端部が前記第２の電極に接続された第２の張り出し部と；前記反射面の焦点位置に設けられ、前記第１の張り出し部の前記反射面側の面に接続された発光素子と；を具備している。  
前記第１の電極の前記底面側の端部は、前記第１の側面の前記底面側の辺の位置、あるいは当該辺の近傍に設けられている。前記第１の電極の前記第３の側面側の端部は、前記第１の側面の前記第３の側面側の辺の位置、あるいは当該辺の近傍に設けられている。  
前記第２の電極の前記底面側の端部は、前記第２の側面の前記底面側の辺の位置、あるいは当該辺の近傍に設けられている。前記第２の電極の前記第３の側面側の端部は、前記第２の側面の前記第３の側面側の辺の位置、あるいは当該辺の近傍に設けられている。
【発明の効果】
【０００７】
本発明の実施形態によれば、反射型発光装置が実装される基板に対する光の出射方向を選択することができる反射型発光装置、および照明装置を提供することができる。
【図面の簡単な説明】
【０００８】
【図１】本実施の形態に係る反射型発光装置を例示するための模式斜視図である。
【図２】図１における反射型発光装置のＡ−Ａ線方向の模式断面図である。
【図３】比較例に係る反射型発光装置を例示するための模式斜視図である。
【図４】比較例に係る反射型発光装置の実装状態を例示するための模式図である。
【図５】（ａ）、（ｂ）は、本実施の形態に係る反射型発光装置の実装状態を例示するための模式図である。
【図６】他の実施形態に係る電極を例示するための模式図である。
【図７】他の実施形態に係る電極を例示するための模式図である。
【図８】他の実施形態に係る張り出し部を例示するための模式平面図である。
【図９】他の実施形態に係る第１のリードを例示するための模式平面図である。
【図１０】本実施の形態に係る照明装置を例示するための模式断面図である。
【図１１】他の実施形態に係る照明装置を例示するための模式断面図である。
【発明を実施するための形態】
【０００９】
以下、図面を参照しつつ、実施の形態について例示をする。なお、各図面中、同様の構成要素には同一の符号を付して詳細な説明は適宜省略する。
【００１０】
（反射型発光装置）  
図１は、本実施の形態に係る反射型発光装置１を例示するための模式斜視図である。  
なお、図１においては、封止部３０およびカバー４０を省いて描いている。  
図２は、図１における反射型発光装置１のＡ−Ａ線方向の模式断面図である。  
図１および図２に示すように、反射型発光装置１には、ケース１０、発光素子２０、封止部３０、カバー４０、第１のリード５０、および第２のリード６０が設けられている。
【００１１】
ケース１０は、角柱状を呈している。ケース１０の外観は、例えば、直方体や立方体などとすることができる。ケース１０は、光が出射する側の面である上面１０ａと、上面１０ａに対峙ずる底面１０ｂと、を有する。また、ケース１０は、上面１０ａと底面１０ｂとに接続された側面１０ｃ（第１の側面の一例に相当する）と、側面１０ｃに対峙する側面１０ｅ（第２の側面の一例に相当する）と、側面１０ｃと側面１０ｅとに接続された側面１０ｄ（第３の側面の一例に相当する）と、側面１０ｄに対峙する側面１０ｆ（第４の側面の一例に相当する）と、を有する。
【００１２】
ケース１０は、上面１０ａに開口する凹部１１を有する。凹部１１の内壁面の少なくとも一部には反射面１１ａが設けられている。反射面１１ａは、例えば、放物面とすることができる。反射面１１ａは、例えば、アルミニウムや銀などを含む膜とすることができる。ケース１０の材料は、絶縁性を有するものであれば特に限定はない。ケース１０の材料は、例えば、樹脂やセラミックスなどとすることができる。この場合、放熱性を考慮して、ケース１０の材料を高熱伝導性樹脂とすることもできる。高熱伝導性樹脂は、例えば、ＰＥＴ（Polyethylene terephthalate）やナイロン（Nylon）等の樹脂に、無機材料を用いたフィラーを混合させたものである。フィラーは、例えば、酸化アルミニウムなどのセラミックスや炭素などを含むことができる。高熱伝導性樹脂を用いてケース１０を形成すれば、発光素子２０において発生した熱を効率よく放熱することができ、且つ、軽量化を図ることができる。
【００１３】
発光素子２０は、例えば、発光ダイオード、有機発光ダイオード、レーザダイオードなどとすることができる。発光素子２０は、例えば、上下電極型の発光ダイオード、上部電極型の発光ダイオードなどとすることができる。図１および図２に例示をした発光素子２０は、上下電極型の発光ダイオードである。発光素子２０から出射する光の波長には特に限定がない。発光素子２０は、例えば、赤外光を出射するものとすることもできるし、可視光を出射するものとすることもできる。発光素子２０から出射する光の波長は、反射型発光装置１が設けられる照明装置１００の用途などに応じて適宜変更することができる。例えば、セキュリティカメラなどに用いられる反射型発光装置１の場合には、赤外光を出射する発光素子２０とすることができる。スキャナや血液センサなどに用いられる反射型発光装置１の場合には、可視光を出射する発光素子２０とすることができる。
【００１４】
発光素子２０は、第１のリード５０の張り出し部５１（第１の張り出し部の一例に相当する）に接続されている。発光素子２０は、張り出し部５１の反射面１１ａ側の面に接続されている。発光素子２０は、例えば、ダイボンディング法により実装することができる。また、発光素子２０は、配線２１を介して第２のリード６０の張り出し部６１（第２の張り出し部の一例に相当する）と電気的に接続されている。発光素子２０と張り出し部６１は、例えば、ワイヤーボンディング法により電気的に接続することができる。
発光素子２０の光の出射面２０ａは、反射面１１ａの焦点位置に設けることができる。発光素子２０の数には特に限定がなく１つ以上の発光素子２０を設けることができる。図１および図２に例示をした反射型発光装置１には、１つの発光素子２０が設けられている。
【００１５】
封止部３０は、凹部１１の内部に設けられている。封止部３０は、発光素子２０、配線２１、張り出し部５１の反射面１１ａ側の面、および張り出し部６１の反射面１１ａ側の面を覆っている。そのため、外力が発光素子２０および配線２１に直接加えられたり、環境中の水分やガスが発光素子２０および配線２１に接触したりするのを抑制することができる。すなわち、封止部３０が設けられていれば、反射型発光装置１の信頼性を向上させることができる。
【００１６】
封止部３０は、凹部１１の内部に透光性を有する樹脂を充填し、これを硬化することで形成することができる。透光性を有する樹脂は、例えば、カチオン重合型透明エポキシ樹脂などの透明エポキシ樹脂、シリコーン樹脂などとすることができる。  
また、封止部３０には、蛍光体を含めることができる。蛍光体は、例えば、ＹＡＧ系蛍光体（イットリウム・アルミニウム・ガーネット系蛍光体）とすることができる。ただし、蛍光体の種類は、反射型発光装置１が設けられる照明装置１００の用途などに応じて所望の発光色が得られるように適宜変更することができる。
【００１７】
カバー４０は、平板状を呈し、ケース１０の上面１０ａに設けられている。カバー４０は、凹部１１の開口を塞ぐように設けられている。例えば、カバー４０は、ケース１０に接着することができる。カバー４０は、透光性を有している。カバー４０は、例えば、ポリカーボネートなどの透明樹脂やガラスなどから形成することができる。  
また、カバー４０の光の出射面を凸状の曲面としたり凹状の曲面としたりすることでレンズの機能を持たせることもできる。
【００１８】
カバー４０が設けられる場合には、封止部３０を省くこともできる。封止部３０が省かれる場合には、凹部１１の内部に窒素ガスなどの不活性ガスや、空気を充填することができる。  
なお、封止部３０が設けられる場合には、カバー４０を省くこともできる。カバー４０が省かれる場合には、張り出し部５１および張り出し部６１をも覆うように封止部３０を設けることができる。
【００１９】
第１のリード５０は、張り出し部５１および電極５２（第１の電極の一例に相当する）を有する。張り出し部５１および電極５２は、プレス成形などにより一体に形成することができる。張り出し部５１および電極５２は、導電性を有する。張り出し部５１および電極５２の材料は、例えば、銅（Ｃｕ）を主成分とし、鉄（Ｆｅ）、硫黄（Ｓ）を含む合金とすることができる。また、張り出し部５１および電極５２の表面には銀メッキなどを施すことができる。
【００２０】
張り出し部５１は、帯状の板状体とすることができる。張り出し部５１は、凹部１１の開口を横切るように延びている。張り出し部５１の一方の端部は、凹部１１の開口の中心近傍に設けられている。張り出し部５１の他端は、電極５２に接続されている。
【００２１】
電極５２は、平板状を呈している。電極５２は、ケース１０の側面１０ｃに設けられている。なお、電極５２は、ケース１０の側面１０ｄ、または側面１０ｆに設けることもできる。  
電極５２の底面１０ｂ側の端部は、側面１０ｃの底面１０ｂ側の辺の位置、あるいは当該辺の近傍に設けられている。電極５２の端部が当該辺の近傍に設けられる場合には、電極５２の端部はケース１０から突出してもよいし、ケース１０から突出していなくてもよい。例えば、電極５２の端部は、当該辺を基準として±１．０ｍｍ以内の範囲に設けることができる。電極５２の端部がこの範囲内に設けられていれば、後述する半田付けを行った際に適切なフィレットを形成することができる。
【００２２】
電極５２の側面１０ｄ側の端部は、側面１０ｃの側面１０ｄ側の辺の位置、あるいは当該辺の近傍に設けられている。電極５２の端部が当該辺の近傍に設けられる場合には、電極５２の端部はケース１０から突出してもよいし、ケース１０から突出していなくてもよい。例えば、電極５２の端部は、当該辺を基準として±１．０ｍｍ以内の範囲に設けることができる。電極５２の端部がこの範囲内に設けられていれば、後述する半田付けを行った際に適切なフィレットを形成することができる。
【００２３】
電極５２の側面１０ｆ側の端部は、側面１０ｃの側面１０ｆ側の辺の位置、あるいは当該辺の近傍に設けられている。電極５２の端部が当該辺の近傍に設けられる場合には、電極５２の端部はケース１０から突出してもよいし、ケース１０から突出していなくてもよい。例えば、電極５２の端部は、当該辺を基準として±１．０ｍｍ以内の範囲に設けることができる。電極５２の端部がこの範囲内に設けられていれば、後述する半田付けを行った際に適切なフィレットを形成することができる。
【００２４】
第２のリード６０は、張り出し部６１および電極６２（第２の電極の一例に相当する）を有する。張り出し部６１および電極６２は、プレス成形などにより一体に形成することができる。張り出し部６１および電極６２は、導電性を有する。張り出し部６１および電極６２の材料は、例えば、銅を主成分とし、鉄、硫黄を含む合金とすることができる。また、張り出し部６１および電極６２の表面には銀メッキなどを施すことができる。
【００２５】
張り出し部６１は、帯状の板状体とすることができる。張り出し部６１は、凹部１１の開口を横切るように延び、一方の端部（先端）が凹部１１の開口の中心近傍に設けられている。また、張り出し部６１の先端は、張り出し部５１の先端の近傍に設けられている。張り出し部６１の他端は、電極６２に接続されている。張り出し部６１の先端は、張り出し部５１の中心線の延長線上に設けられている。
【００２６】
電極６２は、平板状を呈している。電極６２は、電極５２と対峙している。電極６２は、ケース１０の側面１０ｅに設けられている。なお、電極６２は、ケース１０の側面１０ｄ、または側面１０ｆに設けることもできる。  
電極６２の底面１０ｂ側の端部は、側面１０ｅの底面１０ｂ側の辺の位置、あるいは当該辺の近傍に設けられている。電極６２の端部が当該辺の近傍に設けられる場合には、電極６２の端部はケース１０から突出してもよいし、ケース１０から突出していなくてもよい。例えば、電極６２の端部は、当該辺を基準として±１．０ｍｍ以内の範囲に設けることができる。電極６２の端部がこの範囲内に設けられていれば、後述する半田付けを行った際に適切なフィレットを形成することができる。
【００２７】
電極６２の側面１０ｄ側の端部は、側面１０ｅの側面１０ｄ側の辺の位置、あるいは当該辺の近傍に設けられている。電極６２の端部が当該辺の近傍に設けられる場合には、電極６２の端部はケース１０から突出してもよいし、ケース１０から突出していなくてもよい。例えば、電極６２の端部は、当該辺を基準として±１．０ｍｍ以内の範囲に設けることができる。電極６２の端部がこの範囲内に設けられていれば、後述する半田付けを行った際に適切なフィレットを形成することができる。
【００２８】
電極６２の側面１０ｆ側の端部は、側面１０ｅの側面１０ｆ側の辺の位置、あるいは当該辺の近傍に設けられている。電極６２の端部が当該辺の近傍に設けられる場合には、電極６２の端部はケース１０から突出してもよいし、ケース１０から突出していなくてもよい。例えば、電極６２の端部は、当該辺を基準として±１．０ｍｍ以内の範囲に設けることができる。電極６２の端部がこの範囲内に設けられていれば、後述する半田付けを行った際に適切なフィレットを形成することができる。
【００２９】
電極５２は、側面１０ｃに接着することができる。電極６２は、側面１０ｅに接着することができる。接着剤の種類には特に限定はないが、熱伝導率の高い接着剤とすることが好ましい。例えば、接着剤は、無機材料を用いたフィラーが混合された接着剤とすることができる。無機材料は、熱伝導率の高い材料（例えば、酸化アルミニウムや窒化アルミニウムなどのセラミックス）とすることが好ましい。接着剤の熱伝導率は、例えば、０．５Ｗ／（ｍ・Ｋ）以上、１０Ｗ／（ｍ・Ｋ）以下とすることができる。
【００３０】
次に、反射型発光装置１の作用について説明する。  
まず、発光素子２０の極性に応じて電極５２にプラスまたはマイナスの電圧を印加する。電極５２に印加する電圧とは逆極性の電圧を電極６２に印加する。  
すると、張り出し部５１、配線２１、および張り出し部６１を介して発光素子２０に電流が流れ、光の出射面２０ａから光が照射される。  
図２に示すように、光の出射面２０ａは、反射面１１ａと対峙しているため、発光素子２０から出射した光の大部分は反射面１１ａに入射する。また、発光素子２０の光の出射面２０ａは反射面１１ａの焦点位置に設けられているので、反射面１１ａで反射された光Ｌはほぼ平行な光となり、凹部１１の開口から反射型発光装置１の正面側に向けて照射される。そのため、反射型発光装置１は、明るさが明るく、且つ、強い指向性を有する光を照射することができる。
【００３１】
ここで、比較例に係る反射型発光装置２００について説明する。  
図３は、比較例に係る反射型発光装置２００を例示するための模式斜視図である。  
図３に示すように、反射型発光装置２００には、ケース１０、発光素子２０、封止部３０、カバー４０、第１のリード２５０、および第２のリード２６０が設けられている。  
第１のリード２５０は、張り出し部５１および電極２５２を有する。
【００３２】
電極２５２は帯状を呈し、一方の端部が張り出し部５１に接続され、他方の端部が側面１０ｃの底面１０ｂ側の辺の位置に設けられている。  
第２のリード２６０は、張り出し部６１および電極２６２を有する。  
電極２６２は帯状を呈し、一方の端部が張り出し部６１に接続され、他方の端部が側面１０ｅの底面１０ｂ側の辺の位置に設けられている。  
すなわち、電極２５２は、側面１０ｃの中央部分に設けられ、側面１０ｃの側面１０ｄ側および側面１０ｆ側には設けられていない。  
電極２６２は、側面１０ｅの中央部分に設けられ、側面１０ｅの側面１０ｄ側および側面１０ｆ側には設けられていない。
【００３３】
図４は、比較例に係る反射型発光装置２００の実装状態を例示するための模式図である。
図４に示すように、反射型発光装置２００を基板１０１に実装する際には、ケース１０の底面１０ｂが基板１０１の実装面に設けられる。そして、電極２５２および電極２６２が、基板１０１の実装面に設けられた実装パッドと半田付けされる。  
反射型発光装置２００は、指向性の強い光Ｌを正面側に向けて照射するので、反射型発光装置２００から出射した光Ｌは、基板１０１の実装面に垂直な方向あるいは垂直に近い方向に照射される。この場合、反射型発光装置２００から出射した光Ｌは、基板１０１の実装面と平行な方向にはほとんど照射されない。  
そのため、反射型発光装置２００によれば、基板１０１の実装面の方向と光Ｌの照射方向とが一義的に決まることになる。
【００３４】
図５（ａ）、（ｂ）は、本実施の形態に係る反射型発光装置１の実装状態を例示するための模式図である。  
図５（ａ）に示すように、反射型発光装置１を基板１０１に実装する際には、ケース１０の底面１０ｂが基板１０１の実装面に設けられる。そして、電極５２および電極６２が、基板１０１の実装面に設けられた実装パッドと半田付けされる。  
反射型発光装置１は、指向性の強い光Ｌを正面側に向けて照射するので、反射型発光装置１から出射した光Ｌは、基板１０１の実装面に垂直な方向あるいは垂直に近い方向に照射される。
【００３５】
前述したように、電極５２の側面１０ｄ側の端部は、側面１０ｃの側面１０ｄ側の辺の位置、あるいは当該辺の近傍に設けられている。電極６２の側面１０ｄ側の端部は、側面１０ｅの側面１０ｄ側の辺の位置、あるいは当該辺の近傍に設けられている。そのため、図５（ｂ）に示すように、ケース１０の側面１０ｄを基板１０１の実装面に設けても、電極５２および電極６２を実装パッドに半田付けすることができる。
同様に、ケース１０の側面１０ｆを基板１０１の実装面に設けても、電極５２および電極６２を実装パッドに半田付けすることができる。反射型発光装置１がこの様な姿勢で半田付けされれば、反射型発光装置１から出射した光Ｌは、基板１０１の実装面と平行な方向あるいは平行に近い方向に照射される。  
すなわち、反射型発光装置１によれば、反射型発光装置１が実装される基板１０１に対する光Ｌの出射方向を選択することができる。
【００３６】
なお、比較例に係る反射型発光装置２００の場合には、電極２５２は、側面１０ｃの側面１０ｄ側および側面１０ｆ側には設けられていない。電極２６２は、側面１０ｅの側面１０ｄ側および側面１０ｆ側には設けられていない。そのため、ケース１０の側面１０ｄまたは側面１０ｆを基板１０１の実装面に設けると半田付けが困難となる。すなわち、反射型発光装置２００は、基板１０１に対する光Ｌの出射方向を選択することができない。
【００３７】
図６は、他の実施形態に係る電極５２および電極６２を例示するための模式図である。  図６に示すように、電極５２および電極６２の一部は、ケース１０の底面１０ｂにも設けることができる。この様にすれば、発光素子２０において発生した熱が反射型発光装置１の外部に容易に放出される。すなわち、反射型発光装置１の放熱性を向上させることができる。
【００３８】
図７は、他の実施形態に係る電極５２および電極６２を例示するための模式図である。  図７に示すように、電極５２は切り欠き部５２ａ（第１の切り欠き部の一例に相当する）を有する。切り欠き部５２ａは、側面１０ｆ側に設けられている。電極６２は切り欠き部６２ａ（第２の切り欠き部の一例に相当する）を有する。切り欠き部６２ａは、側面１０ｆ側に設けられている。  
なお、切り欠き部５２ａおよび切り欠き部６２ａは、少なくともいずれかが設けられていればよい。また、切り欠き部５２ａおよび切り欠き部６２ａは、側面１０ｄ側に設けてもよい。また、切り欠き部５２ａに代えて、あるいは切り欠き部５２ａとともに孔や凹部などのマークを設けることもできる。切り欠き部６２ａに代えて、あるいは切り欠き部６２ａとともに孔や凹部などのマークを設けることもできる。なお、マークは、電極５２および電極６２の少なくともいずれかに設けられていればよい。
【００３９】
ここで、反射面１１ａで反射された光Ｌは、反射面１１ａの中心軸に対してほぼ平行な光となる。そのため、ケース１０に対する反射面１１ａの中心軸の角度を変化させれば、反射型発光装置１から照射される光の方向を変化させることができる。例えば、図２に例示をした反射型発光装置１は、ケース１０の側面１０ｄまたは側面１０ｆに対して反射面１１ａの中心軸がほぼ平行となっている。そのため、ケース１０の側面１０ｄまたは側面１０ｆに対してほぼ平行な光を照射することができる。一方、ケース１０の側面１０ｄまたは側面１０ｆに対して反射面１１ａの中心軸を所定の角度傾ければ、ケース１０の側面１０ｄまたは側面１０ｆに対して所定の角度傾いた方向に光が照射される。そのため、側面１０ｄを基板１０１に設けた場合と、側面１０ｆを基板１０１に設けた場合とでは光の照射方向が異なるものとなる。傾いた方向に光が照射される反射型発光装置１の場合には、光の照射方向に応じて反射型発光装置１の実装方向が決定されることになる。この場合、例えば、側面１０ｄと側面１０ｆを間違えて基板に反射型発光装置１を実装すると、意図した方向と逆の方向に光が照射されることになる。
【００４０】
本実施の形態に係る電極５２および電極６２には、切り欠き部５２ａ、６２ａ、あるいはマークが設けられているので、反射型発光装置１の実装方向を確認するのが容易となる。そのため、反射型発光装置１が誤った向きに実装されるのを抑制することができる。
【００４１】
図８は、他の実施形態に係る張り出し部６１ａを例示するための模式平面図である。  
図８に示すように、張り出し部６１ａの先端は、張り出し部５１の中心線からズレた位置に設けることができる。また、張り出し部６１ａの先端は、張り出し部５１の先端と近接させて設けることができる。  
電極５２を基板１０１に半田付けすると、半田が冷えて硬化する際に、張り出し部５１が側面１０ｃの外側に向けて引っ張られる。電極６２を基板１０１に半田付けすると、半田が冷えて硬化する際に、張り出し部６１ａが側面１０ｅの外側に向けて引っ張られる。すなわち、張り出し部５１の先端と、張り出し部６１ａの先端が、張り出し部５１の中心線方向に引き離される。この場合、配線２１の伸びる方向が、張り出し部５１の中心線と平行になっていると、配線２１が引っ張られて断線するおそれがある。  
図８に示すように、配線２１の伸びる方向が、張り出し部５１の中心線と交差していれば、配線２１に加えられる引張力を小さくすることができる。そのため、配線２１の断線を抑制することができる。
【００４２】
図９は、他の実施形態に係る第１のリード５０ａを例示するための模式平面図である。  図９に示すように、第１のリード５０ａは、張り出し部５１ａおよび電極５２ｂを有する。  
張り出し部５１ａは、帯状の板状体とすることができる。張り出し部５１ａは、凹部１１の開口を横切るように延びている。張り出し部５１ａは、側面１０ｃと側面１０ｅとの間を跨いでいる。  
電極５２ｂは、側面１０ｃおよび側面１０ｅに設けられている。張り出し部５１ａの一方の端部は側面１０ｃ側の電極５２ｂに接続され、張り出し部５１ａの他方の端部は側面１０ｅ側の電極５２ｂに接続されている。  
電極５２ｂは、両持ち梁となっているので剛性を大きくすることができる。そのため、反射型発光装置１の信頼性を向上させることができる。
【００４３】
（照明装置）  
図１０は、本実施の形態に係る照明装置１００を例示するための模式断面図である。  
図１０に示すように、照明装置１００には、複数の反射型発光装置１、基板１０１、筐体１０２、及びカバー１０３が設けられている。  
複数の反射型発光装置１は、基板１０１の一方の面に設けられている。本実施の形態においては、ケース１０の底面１０ｂが基板１０１の実装面に設けられている。複数の反射型発光装置１は、基板１０１の面に設けられた実装パッドに半田付けされている。基板１０１の他方の面には、点灯回路などを構成する電子部品１０１ａを実装することができる。
複数の反射型発光装置１は、基板１０１の実装面に垂直な方向あるいは垂直に近い方向に光Ｌを照射する。  
なお、反射型発光装置１の数は例示をしたものに限定されるわけではなく適宜変更することができる。
【００４４】
基板１０１は、例えば、プリント回路基板とすることができる。  
筐体１０２は、箱状を呈し、一方の端部が開口している。筐体１０２は、複数の反射型発光装置１が実装された基板１０１を収納する。筐体１０２は、例えば、樹脂などの絶縁性材料から形成することができる。  
カバー１０３は、筐体１０２の開口を塞ぐように設けられている。カバー１０３は、ポリカーボネートなどの透明樹脂やガラスなどから形成することができる。図１０に例示をしたカバー１０３は平板状を呈しているが、凸状または凹状のカバー１０３としてレンズの機能を持たせることもできる。  
本実施の形態に係る照明装置１００とすれば、基板１０１上に多くの反射型発光装置１を実装することができる。すなわち、反射型発光装置１は、光量の大きな大型の照明装置１００に設けることができる。
【００４５】
図１１は、他の実施形態に係る照明装置１００ａを例示するための模式断面図である。  図１１に示すように、照明装置１００ａには、複数の反射型発光装置１、基板１０１、筐体１０２、及びカバー１０３が設けられている。  
複数の反射型発光装置１は、基板１０１の一方の面に設けられている。本実施の形態においては、ケース１０の側面１０ｄまたは側面１０ｆが基板１０１の実装面に設けられている。複数の反射型発光装置１は、基板１０１の面に設けられた実装パッドに半田付けされている。また、基板１０１の面には、点灯回路などを構成する電子部品１０１ａを実装することができる。  
複数の反射型発光装置１は、基板１０１の実装面に平行な方向あるいは平行に近い方向に光Ｌを照射する。  
なお、反射型発光装置１の数は例示をしたものに限定されるわけではなく適宜変更することができる。  
本実施の形態に係る照明装置１００ａとすれば、筐体１０２の外形寸法（断面寸法）を小さくすることができる。すなわち、反射型発光装置１は、筐体１０２の外形寸法が小さい小型の照明装置１００ａに設けることができる。  
以上に説明したように、反射型発光装置１は、設置方向を選択することで、基板１０１に対する光Ｌの出射方向を変更することができる。そのため、種々の用途に適用することが可能となる。
【００４６】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４７】
１  反射型発光装置、１０  ケース、１０ａ  上面、１０ｂ  底面、１０ｃ  側面、１０ｄ  側面、１０ｅ  側面、１０ｆ  側面、１１  凹部、１１ａ  反射面、２０  発光素子、３０  封止部、４０  カバー、５０  第１のリード、５０ａ  第１のリード、５１  張り出し部、５１ａ  張り出し部、５２  電極、５２ａ  切り欠き部、５２  電極、６０  第２のリード、６１  張り出し部、６１ａ  張り出し部、６２  電極、６２ａ  切り欠き部、１００  照明装置、１００ａ  照明装置、１０１基板
【図１】
2019046921.tif 000003
【図２】
2019046921.tif 000004
【図３】
2019046921.tif 000005
【図４】
2019046921.tif 000006
【図５】
2019046921.tif 000007
【図６】
2019046921.tif 000008
【図７】
2019046921.tif 000009
【図８】
2019046921.tif 000010
【図９】
2019046921.tif 000011
【図１０】
2019046921.tif 000012
【図１１】
2019046921.tif 000013